(57)【要約】【課題】上皿ユニットや下皿ユニットの高さ寸法を低く抑えても、発射操作ユニットを取り付ける領域を十分に確保することができる遊技機を提供する。【解決手段】上皿ユニット１３は、一側を前面枠３の軸着側縁部に軸着して開閉可能とし、下皿ユニット１４は、前面枠３の開放側に位置する部分に延出部９０を設け、該延出部９０に発射操作ユニット９１を取り付け、前記上皿ユニット１３を閉じた状態では、延出部９０に上皿ユニット１３の開放側端部を連続するように位置させるとともに、当該上皿ユニット１３の下面部６８と下皿ユニット１４の上面部１０３とを近接した状態で対向させて、下皿ユニット１４が上皿ユニット１３の下方および開放側端部の側方を囲むように配設した。【選択図】    図１
2004329283.tif 000002
【特許請求の範囲】
【請求項１】
機枠に開閉可能に設けられ、遊技盤を交換可能に取り付けた前面枠と、
前記遊技盤に形成された遊技領域へ遊技球を発射する発射装置と、
前記遊技領域の前方を覆う透明部材を保持して前記前面枠の前面側に対して開閉可能に取り付けられた透明部材保持枠と、
前記透明部材保持枠の下方に設けられ、遊技球を貯留可能な上皿貯留部を少なくとも備えた上皿ユニットと、
前記上皿ユニットの下方に位置し、上皿貯留部が満杯になってオーバーフローした遊技球を貯留可能な下皿貯留部と、発射装置により発射される遊技球の発射勢の調整をする発射操作手段とを少なくとも備えた下皿ユニットと、
を備えた遊技機において、
前記上皿ユニットは、
一側を前面枠の軸着側縁部に軸着して開閉可能とし、開放側端部となる他側には、当該上皿ユニットを閉状態に維持するための係止部を設け、
前記下皿ユニットは、
前記前面枠の開放側に位置する部分に、上縁が透明部材保持枠の下縁まで延出された延出部を設け、該延出部に前記発射操作手段を取り付け、前記延出部のうち上皿ユニットの開放側端部と対向する箇所に前記係止部が係止可能な係止受部を備えて成り、
前記上皿ユニットを閉じて係止部を係止受部に係止した状態では、延出部に上皿ユニットの開放側端部を連続するように位置させるとともに、当該上皿ユニットの下面部と下皿ユニットの上面部とを近接した状態で対向させて、下皿ユニットが上皿ユニットの下方および開放側端部の側方を囲むように配設し、
前記発射操作手段に接触しない状態で開閉するように前記上皿ユニットの軸着部から開放側端部までの長さを設定したことを特徴とする遊技機。
【請求項２】
前記上皿ユニットは、
前記前面枠に開閉可能に軸着される開閉パネルと、該開閉パネルの前面側に位置し、前記上皿貯留部を形成する上皿本体と、前記上皿本体の前方を覆う上皿カバー部材とを備え、前記上皿貯留部を、当該上皿ユニットの軸着端寄りに上側を開口した状態で形成し、
前記下皿ユニットは、
前記上皿ユニットの下方に設けられ、前記前面枠に取り付けられる取付ベースと、該取付ベースの前面側に位置して前記下皿貯留部を形成する下皿本体と、前記下皿本体の前方を覆う下皿カバー部材とを備え、前記下皿貯留部を、前記延出部寄りに上側を開口した状態で形成し、
前記上皿カバー部材の下面部と前記下皿貯留部の上側開口部とを略同じ高さに配置したことを特徴とする請求項１に記載の遊技機。
【請求項３】
前記取付ベースに、遊技球を下皿貯留部へ排出する下皿球出口を開設し、
該下皿球出口を前記下皿貯留部の上側開口部の前側部分よりも低い位置に配設し、
前記上皿ユニットを閉じた状態で、前記下皿貯留部の上側開口部のうち、下皿球出口の上方に位置する部分が前記上皿カバー部材の下面部で覆われるように下皿貯留部を配置したことを特徴とする請求項２に記載の遊技機。
【請求項４】
前記開閉パネルに、遊技球を上皿貯留部へ排出する上皿球出口を開設し、該上皿球出口よりも上流側に、前記上皿貯留部が満杯になってオーバーフローした遊技球を流下させるオーバーフロー流路を設けたことを特徴とする請求項２または請求項３に記載の遊技機。
【請求項５】
前記発射装置は、
前記遊技盤の下方に発射杵を回動軸により軸着し、該回動軸から下方に延在する発射杵の下端部分に遊技球を弾発する弾発部を備え、前記回動軸より下方に発射レールの遊技球発射位置を設定し、
前記延出部の後側に、前記発射杵の回動領域の一部を設定した状態で配設されたことを特徴とする請求項１から請求項４のいずれかに記載の遊技機。
【請求項６】
遊技状態に応じて音を発生するスピーカーユニットを備え、
前記上皿ユニットは、下側および後側が開口された第１空間を有し、
前記下皿ユニットは、上側が開口されて第１空間と上下に連通し得る第２空間を有し、
前記第１空間内に前記スピーカーユニットの上部を、第２空間内に前記スピーカーユニットの下部をそれぞれ収納可能とし、
上皿ユニットを開くと、第１空間が第２空間の上方から外れて、スピーカーユニットが上下方向に移動可能な第１状態に変換し、
上皿ユニットを閉じると、第１空間が第２空間の上方に連通されて、スピーカーユニットが上下方向の移動を規制される第２状態に変換することを特徴とする請求項１から請求項５のいずれかに記載の遊技機。
【請求項７】
前記発射操作手段は、
遊技球の発射勢を調整するために回動操作する回動操作部を備え、
該回動操作部に前記上皿ユニットが開くことを阻止し得る開放阻止部を設け、
前記回動操作部が回動操作された状態で、前記開放阻止部が上皿ユニットの一部の前方に位置して上皿ユニットが開くことを阻止し、
前記回動操作部が回動操作されない常態で、前記開放阻止部が上皿ユニットの前方から外れて上皿ユニットが開くことを許容するようにしたことを特徴とする請求項１から請求項６のいずれかに記載の遊技機。
【発明の詳細な説明】
【０００１】
【発明の属する技術分野】
本発明は、遊技球を貯留可能な機能を有する上皿ユニットおよび下皿ユニットを備えたパチンコ遊技機などの遊技機に関する。
【０００２】
【従来の技術】
従来の遊技機、例えばパチンコ遊技機は、上皿ユニットに貸し球あるいは賞球としての遊技球を貯留し、この遊技球を発射装置に流下させて遊技領域へ発射することで遊技を行う。そして、パチンコ遊技機は、上皿ユニットの下方に下皿ユニットを配設して、上皿ユニットが満杯になってオーバーフローした遊技球を貯留できるように構成され、下皿ユニットの右側に遊技球の発射装置を操作するための発射操作ユニット（発射操作ハンドル）を備えている。また、このパチンコ遊技機は、上皿ユニットを開閉可能な状態で軸着して、発射装置や遊技球の流路で球詰まり等の不具合が発生した際には、迅速に復旧処理等の作業ができるように構成されている（例えば、特許文献１参照。）。
【０００３】
【特許文献１】
特開平８−３８７１８号公報（第３頁，第３図）
【０００４】
そして、近年における遊技内容の多様化に伴って、パチンコ遊技機は、大型化した可変表示装置や変動入賞装置を備えて、インパクトのある演出を行う傾向にある。そして、この大型化した各装置を配設するために、上皿ユニットや下皿ユニットの高さを低くして、遊技領域を拡大することが試みられている。
【０００５】
【発明が解決しようとする課題】
ところが、上記したようなパチンコ遊技機の上皿ユニットや下皿ユニットの高さをそのまま低くしようとすると、上皿ユニットの開閉時において発射操作ユニットに接触してしまう虞がある。そして、この接触を避けるために発射操作ユニットの取付位置を外寄りに配設しようとすると、取付箇所の周辺が薄肉になって強度が十分に保てず、発射操作ユニットを安定して取り付けることが困難である。このように遊技領域の拡大を試みると、発射操作ユニットの取り付ける領域が十分に確保できず、パチンコ遊技機のデザインの自由度が制約されてしまい、改善の余地がある。
【０００６】
そこで、本発明は、上記の事情に鑑みてなされたものであり、その目的は、上皿ユニットや下皿ユニットの高さ寸法を低く抑えても、発射操作ユニットを取り付ける領域を十分に確保することができる遊技機を提供しようとするものである。
【０００７】
【課題を解決するための手段】
本発明は、上記目的を達成するために提案されたものであり、請求項１に記載のものは、機枠に開閉可能に設けられ、遊技盤を交換可能に取り付けた前面枠と、
前記遊技盤に形成された遊技領域へ遊技球を発射する発射装置と、
前記遊技領域の前方を覆う透明部材を保持して前記前面枠の前面側に対して開閉可能に取り付けられた透明部材保持枠と、
前記透明部材保持枠の下方に設けられ、遊技球を貯留可能な上皿貯留部を少なくとも備えた上皿ユニットと、
前記上皿ユニットの下方に位置し、上皿貯留部が満杯になってオーバーフローした遊技球を貯留可能な下皿貯留部と、発射装置により発射される遊技球の発射勢の調整をする発射操作手段とを少なくとも備えた下皿ユニットと、
を備えた遊技機において、
前記上皿ユニットは、
一側を前面枠の軸着側縁部に軸着して開閉可能とし、開放側端部となる他側には、当該上皿ユニットを閉状態に維持するための係止部を設け、
前記下皿ユニットは、
前記前面枠の開放側に位置する部分に、上縁が透明部材保持枠の下縁まで延出された延出部を設け、該延出部に前記発射操作手段を取り付け、前記延出部のうち上皿ユニットの開放側端部と対向する箇所に前記係止部が係止可能な係止受部を備えて成り、
前記上皿ユニットを閉じて係止部を係止受部に係止した状態では、延出部に上皿ユニットの開放側端部を連続するように位置させるとともに、当該上皿ユニットの下面部と下皿ユニットの上面部とを近接した状態で対向させて、下皿ユニットが上皿ユニットの下方および開放側端部の側方を囲むように配設し、
前記発射操作手段に接触しない状態で開閉するように前記上皿ユニットの軸着部から開放側端部までの長さを設定したことを特徴とする遊技機である。
【０００８】
請求項２に記載のものは、前記上皿ユニットは、
前記前面枠に開閉可能に軸着される開閉パネルと、該開閉パネルの前面側に位置し、前記上皿貯留部を形成する上皿本体と、前記上皿本体の前方を覆う上皿カバー部材とを備え、前記上皿貯留部を、当該上皿ユニットの軸着端寄りに上側を開口した状態で形成し、
前記下皿ユニットは、
前記上皿ユニットの下方に設けられ、前記前面枠に取り付けられる取付ベースと、該取付ベースの前面側に位置して前記下皿貯留部を形成する下皿本体と、前記下皿本体の前方を覆う下皿カバー部材とを備え、前記下皿貯留部を、前記延出部寄りに上側を開口した状態で形成し、
前記上皿カバー部材の下面部と前記下皿貯留部の上側開口部とを略同じ高さに配置したことを特徴とする請求項１に記載の遊技機である。
【０００９】
請求項３に記載のものは、前記取付ベースに、遊技球を下皿貯留部へ排出する下皿球出口を開設し、
該下皿球出口を前記下皿貯留部の上側開口部の前側部分よりも低い位置に配設し、
前記上皿ユニットを閉じた状態で、前記下皿貯留部の上側開口部のうち、下皿球出口の上方に位置する部分が前記上皿カバー部材の下面部で覆われるように下皿貯留部を配置したことを特徴とする請求項２に記載の遊技機である。
【００１０】
請求項４に記載のものは、前記開閉パネルに、遊技球を上皿貯留部へ排出する上皿球出口を開設し、該上皿球出口よりも上流側に、前記上皿貯留部が満杯になってオーバーフローした遊技球を流下させるオーバーフロー流路を設けたことを特徴とする請求項２または請求項３に記載の遊技機である。
【００１１】
請求項５に記載のものは、前記発射装置は、
前記遊技盤の下方に発射杵を回動軸により軸着し、該回動軸から下方に延在する発射杵の下端部分に遊技球を弾発する弾発部を備え、前記回動軸より下方に発射レールの遊技球発射位置を設定し、
前記延出部の後側に、前記発射杵の回動領域の一部を設定した状態で配設されたことを特徴とする請求項１から請求項４のいずれかに記載の遊技機である。
【００１２】
請求項６に記載のものは、遊技状態に応じて音を発生するスピーカーユニットを備え、
前記上皿ユニットは、下側および後側が開口された第１空間を有し、
前記下皿ユニットは、上側が開口されて第１空間と上下に連通し得る第２空間を有し、
前記第１空間内に前記スピーカーユニットの上部を、第２空間内に前記スピーカーユニットの下部をそれぞれ収納可能とし、
上皿ユニットを開くと、第１空間が第２空間の上方から外れて、スピーカーユニットが上下方向に移動可能な第１状態に変換し、
上皿ユニットを閉じると、第１空間が第２空間の上方に連通されて、スピーカーユニットが上下方向の移動を規制される第２状態に変換することを特徴とする請求項１から請求項５のいずれかに記載の遊技機である。
【００１３】
請求項７に記載のものは、前記発射操作手段は、
遊技球の発射勢を調整するために回動操作する回動操作部を備え、
該回動操作部に前記上皿ユニットが開くことを阻止し得る開放阻止部を設け、
前記回動操作部が回動操作された状態で、前記開放阻止部が上皿ユニットの一部の前方に位置して上皿ユニットが開くことを阻止し、
前記回動操作部が回動操作されない常態で、前記開放阻止部が上皿ユニットの前方から外れて上皿ユニットが開くことを許容するようにしたことを特徴とする請求項１から請求項６のいずれかに記載の遊技機である。
【００１４】
【発明の実施の形態】
以下、代表的な遊技機であるパチンコ遊技機１を例に挙げて本発明の実施の形態を図面に基づき説明する。図１はパチンコ遊技機１の正面図である。
【００１５】
パチンコ遊技機１は、図１に示すように、機枠（本体枠）２に大きな開口部を有する額縁状の前面枠３の一側（図中左側）を開閉可能に取り付け、この前面枠３のベースとなる前面枠本体４の遊技盤収納フレーム内に遊技盤５を交換可能な状態で取り付け、遊技盤５の表面には、表示装置６、大入賞口７、一般入賞口８、アウト口９…などを配設した遊技領域１０を形成している。また、前面枠３の前面には、一側（図中左側）が軸着された透明部材保持枠（ガラス枠）１１を回動可能に設け、該透明部材保持枠１１に透視可能な透明部材（ガラス板）１２を収納して、遊技領域１０を前方から透視可能な状態で覆い、透明部材保持枠１１の下方に上皿ユニット１３と下皿ユニット１４とを上下に並べて備えている。そして、このパチンコ遊技機１は、上皿ユニット１３および下皿ユニット１４の間に、遊技状態に応じて音を発生するスピーカーユニット１５を収納している。さらに、パチンコ遊技機１は、下皿ユニット１４の後方であって前面枠本体４の下部に、遊技球を遊技領域１０に向かって発射するための発射装置１６を備え、該発射装置１６の左側にファール球（戻り球）を回収するためのファール流下口１７を備えている（図２参照）。なお、上皿ユニット１３および下皿ユニット１４については、後で詳細に説明する。
【００１６】
発射装置１６は、上皿ユニット１３に貯留された遊技球を１個ずつ発射可能な装置であり、図３に示すように、前面枠本体４の下部前面に止着されるプレート状の取付基板２１を備え、この取付基板２１に発射杵２２を回動軸２３により軸着し、発射杵２２の下端部分を回動軸２３から下方に延在して遊技球を弾発するための杵先２５（本発明の弾発部に相当）を備えている。また、発射装置１６は、杵先２５の回動軸２３周りに前進した位置の先方であって、回動軸２３より下方に発射レール２７の遊技球発射位置２８を設定し、遊技球発射位置２８から遊技盤５上の案内誘導路２９に向かって上り傾斜する状態で発射レール２７を配設している。
【００１７】
また、発射装置１６は、取付基板２１上の発射杵２２と発射レール２７との間に球送り装置３１を備えている。この球送り装置３１は、発射杵２２の発射動作に連動して上皿ユニット１３から遊技球を１個ずつ発射レール２７上の遊技球発射位置２８へ供給するための装置であり、上皿ユニット１３に対向する前面側に、遊技球が丁度１個ずつ流入（通過）可能な程度の大きさで球流入口３３を開設し、発射レール２７に対向する下側傾斜面には、遊技球を１個ずつ排出可能な球排出口３４を、球流入口３３に連通する状態で開設している。また、この球送り装置３１は、球流入口３３と球排出口３４との間の空間に遊技球を１個ずつ球排出口３４へ送り出す球送り部材３５を備えている。この球送り部材３５は、前側および下側に開放した状態で遊技球を丁度１個保持可能な空間を有して左右方向へ揺動可能な状態で軸着された部材である。このような球送り部材３５を備えた球送り装置３１は、発射杵２２から延設されたアーム（図示せず）に連動して球送り部材３５を揺動させて、発射杵２２が遊技球発射位置２８から後退したタイミングで球流入口３３から受け入れた遊技球を球排出口３４から送り出せるように構成されている。
【００１８】
次に、上皿ユニット１３について説明する。
上皿ユニット１３は、図２および図４に示すように、前面枠３の軸着側縁部３ａに設けられた上皿ユニット軸着部３７へ開閉可能に軸着される開閉パネル３８と、該開閉パネル３８の前面側に設けられる上皿３９（本発明の上皿貯留部に相当）と、該上皿３９の前方および下方を覆う上皿カバー部材４１と、開閉パネル３８の裏面側に備えられた球止めユニット４２とから概略構成されて、前面枠３に対して開閉可能な状態で備えられている。
【００１９】
開閉パネル３８は、上皿ユニット１３のベースとなる部材であり、フロントパネル３８ａと金属製のリアパネル３８ｂとを重合し、フロントパネル３８ａの一側（図中左側）を軸着部（ヒンジ部）４５により上皿ユニット軸着部３７を介して、前面枠本体４へ軸着している。そして、開閉パネル３８は、フロントパネル３８ａの他側（図中右側）、すなわち軸着部４５側とは反対側に位置する開放側の端部には、上方へ付勢されながら上下にスライド可能な係止爪４６（本発明の係止部に相当）を後方に延設して、前面枠本体４に固定される下皿ユニット１４の係止片４７（本発明の係止受部に相当。図７参照）にこの係止爪４６を下から係止することで、上皿ユニット１３の閉状態を維持できるように構成されている。また、開閉パネル３８は、係止爪４６を下へ移動させる係止爪操作部（係止部用操作部）４６ａを上部に備えて、係止爪４６の係止状態を解除できるように構成されている。すなわち、開閉パネル３８は、透明部材保持枠１１を開いた状態で上皿ユニット１３の上部に係止爪操作部４６ａを出現させ、この係止爪操作部４６ａを下方に押し込んで、係止爪４６と係止片４７との係止状態を解除することで、上皿ユニット１３を閉状態から開状態への変換を許容することができる。
【００２０】
また、開閉パネル３８は、軸着部４５側寄り（一側寄り、図中左寄り）に球排出装置（図示せず）から排出された遊技球が出てくるための上皿球出口４９を開設し、該上皿球出口４９から後方に前面枠本体４の遊技球通路５０（図２参照）と連通可能な接続樋５１を延設している。さらに、この開閉パネル３８は、上皿ユニット１３の開放側寄り（他側寄り、図中右寄り）に貫通開口５２を形成し、上皿３９に貯留された遊技球を発射装置１６へ供給するための球供給口５３（図９参照）を貫通開口５２に連通する状態で備えている。なお、遊技球通路５０や球供給口５３については、後で詳細に説明する。
【００２１】
そして、開閉パネル３８は、下端中央周辺に下向きコ字状のパネル切欠部５５を開設している。このパネル切欠部５５は、上皿ユニット１３の開閉時にスピーカーユニット１５の上部が接触しない程度の空部を設けて形成されている。
【００２２】
さらに、開閉パネル３８は、透明部材保持枠１１の下縁に合わせた形状となるようにフロントパネル３８ａおよびリアパネル３８ｂの上縁を形成し、リアパネル３８ｂの上縁から不正防止壁５６を透明部材保持枠１１の下縁よりも上方へ延設して、開閉パネル３８と透明部材保持枠１１との間隙から針金等の不正部材が侵入するのを防止している。
【００２３】
上皿３９は、発射装置１６へ供給する遊技球を一時貯留するためのものであり、開閉パネル３８から前方へ延設された略半ラケット状の上皿本体５８により当該上皿３９の前部、両側部および下部を、開閉パネル３８により当該上皿３９の後部をそれぞれ形成し、上皿ユニット１３の軸着端寄りに、上皿本体５８と開閉パネル３８とで区画されて上方に開放した状態で構成されている。そして、この上皿３９は、開閉パネル３８の上皿球出口４９に連通し、上皿球出口４９の下方から貫通開口５２に向かって下り傾斜した底面５９を備えて、貯留された遊技球が開閉パネル３８に沿って球供給口５３へ流下できるように構成されている。
【００２４】
また、上皿３９は、上皿ユニット１３の開放端寄りに設けられた球案内流路４０に連通している。この球案内流路４０は、上皿３９に貯留された遊技球を発射装置１６へ案内するための通路であり、図９に示すように、上皿３９から球止めユニット４２に亘って遊技球が丁度１列に整列できるように形成されている。
【００２５】
上皿カバー部材４１は、上皿３９および球案内流路４０の前方を保護および装飾する中空の部材であり、開閉パネル３８の前面から遊技者側へ突出（膨出）した形状で設けられている。この上皿カバー部材４１は、上皿３９の下方に、内部の中空空間であって下側および後側が開口された第１空間６６を当該上皿カバー部材４１の前面裏側から開閉パネル３８のパネル切欠部５５に亘って区画形成し（図５参照）、スピーカーユニット１５の上部が十分に収納できるように構成されている。また、上皿カバー部材４１は、第１空間６６の前方に円形状の透音カバー部材６７を、下半部が上皿カバー部材４１の下縁から下皿ユニット１４の前面に向かって延設された状態で備えている。さらに、上皿カバー部材４１は、第１空間６６の下側開口の周縁から当該上皿カバー部材４１の前面突出部の下縁および開閉パネル３８の下縁に沿って下面部（すなわち上皿ユニット１３の下面部）６８を、後述の下皿８７の上側開口部８７ａに略平行となるように形成し、上皿３９の下側部分のうち、第１空間６６よりも左右外側に位置する箇所を覆って保護している。
【００２６】
球止めユニット４２は、上皿３９から開閉パネル３８の後方へ流下する遊技球を止めるためのものである。この球止めユニット４２は、図５および図９に示すように、開閉パネル３８の裏側に取り付けられる球止めベース７０を備え、該球止めベース７０のうち、開閉パネル３８の貫通開口５２と対向する前面部分から球案内流路４０の下流側を、後方に向かって下り傾斜した状態で開設し、この球案内流路４０の下流側開口（出口）を発射装置１６への球供給口５３としている。また、球供給口５３は、開閉パネル３８、すなわち上皿ユニット１３を前面枠３に対して閉じた状態で球送り装置３１の球流入口３３に連通し、この球流入口３３との間に僅かな隙間（遊技球が落下したり嵌ったりせずスムーズに流下できる程度の隙間）を形成するようにして設けられている。
【００２７】
また、球止めユニット４２は、球供給口５３を開閉可能な略Ｌ字形状の球止め部材７１を、上皿ユニット１３（あるいは開閉パネル３８、球止めベース７０）に対して回動可能に軸着している。この球止め部材７１は、コイルばね等の付勢部材７２により、開状態から閉状態へ変換する方向に付勢されるように、すなわち、常態では球供給口５３に対して閉状態となるように構成されている。そして、球止め部材７１は、球送り装置３１の前面に設けられた球止め部材変換部７５（図３（ｂ）および図１０参照）と係合することにより、上皿ユニット１３の開閉動作に伴って状態変換することができる。なお、球止め部材変換部７５は、前端面を上皿ユニット１３の開放側（図中右側）から軸着側（図中左側）へ向かって前方へ傾斜させて、当接した球止め部材７１を摺動させるカム面となるように形成されている。
【００２８】
このような構成により、上皿ユニット１３を閉方向に移動すると、球止め部材変換部７５が球止め部材７１を摺接しながら付勢部材７２の付勢力に抗して右側に移動し、これにより球止め部材７１は、パチンコ遊技機１の正面から見て時計回りに回動させられて開状態に変換する。また、上皿ユニット１３を開方向に移動すると、球止め部材変換部７５が球止め部材７１を付勢部材７２の付勢力により左側に移動するのを許容し、これにより球止め部材７１は、パチンコ遊技機１の正面から見て反時計回りに回動して閉状態に変換する。
【００２９】
次に、下皿ユニット１４について説明する。
下皿ユニット１４は、図２、図６および図７に示すように、前面枠本体４の下部に取り付けられる取付ベース８６と、該取付ベース８６の前面に設けられる下皿８７（本発明の下皿貯留部に相当）と、該下皿８７の前面、側面および下面を覆う下皿カバー部材８８とから概略構成されている。そして、この下皿ユニット１４は、右側（上皿ユニット１３の開放側、前面枠３の開放側に位置する部分）には、延出部９０を上縁が透明部材保持枠１１の下縁まで延出された状態で設けて、略倒Ｌ字形状を呈している。そして、下皿ユニット１４は、下皿８７の左側（上皿ユニット１３の軸着側）に灰皿８９を備え、延出部９０の前面側下部に、発射装置１６の遊技球発射勢を調整するために遊技者が操作する発射操作ユニット（発射操作ハンドル）９１（本発明の発射操作手段に相当）を備えている。
【００３０】
取付ベース８６は、下皿ユニット１４のベースとなる略倒Ｌ字状の部材であり、上皿３９の下方であって発射操作ユニット９１寄り（延出部９０寄り。図中右寄り）の位置に、遊技球が下皿８７に流入するための下皿球出口９２を開設し、該下皿球出口９２に、上皿３９が満杯になったときに遊技球が流下するオーバーフロー流路１２５（後述する）を連通させている。
【００３１】
また、この取付ベース８６は、上縁を開閉パネル３８の下縁やパネル切欠部５５に合わせた形状に形成し、上皿ユニット１３の開放端（図２中右端）よりも外側には、透明部材保持枠１１の開放側（図中右側）の下端まで延出された延出ベース９３を備えている。この延出ベース９３は、延出部９０の一部でベースとなる部分である。この延出ベース９３は、係止片４７を上皿ユニット１３の開放側端部１３ａ、すなわち係止爪４６を備えた部分と対向する箇所から横方向に突設して、上皿ユニット１３が閉じた状態で係止爪４６が係止できるように構成されている。
【００３２】
そして、この取付ベース８６は、上縁および延出ベース９３の裏側から不正防止壁９４を開閉パネル３８の下縁あるいは透明部材保持枠１１の開放端側（図中右側）の下縁よりも上方に達する状態で延設して、下皿ユニット１４と上皿ユニット１３との間、および下皿ユニット１４と透明部材保持枠１１との間から針金等の不正部材が侵入するのを防止している。
【００３３】
下皿８７は、上皿３９が満杯になってオーバーフローした遊技球や、後述する球抜き流路９６を通って上皿３９から流下してきた遊技球を貯留可能な部材である。この下皿８７は、取付ベース８６から前方へ延設された下皿本体９７により当該下皿８７の前部、両側部および下部を、取付ベース８６により当該下皿８７の後部をそれぞれ形成し、下皿本体９７と取付ベース８６とで区画されて上方に開放（開口）した状態で構成されている。そして、下皿８７は、上皿３９の右斜め下方（発射操作ユニット９１寄りの下方）であって、延出部９０寄りの位置に、下皿球出口９２を臨ませた状態で設けられている。なお、下皿ユニット１４は、図９に示すように、下皿８７の上側開口部８７ａの前側部分と後側部分、すなわち下皿本体９７の上縁と取付ベース８６の上縁とを略同じ高さに設定している。そして、下皿ユニット１４は、下皿球出口９２を下皿８７の上側開口部８７ａ、詳しくは上側開口部８７ａの前側部分よりも低い位置に配設して、遊技球が下皿球出口９２から勢いよく流下しても下皿８７から飛び出さないように構成されている。また、下皿８７は、底部に開閉可能な取出口９８を備えており、取出しレバー９８ａを操作することによって開閉プレート１００の貫通孔と取出口９８とを連通させて、下皿８７から遊技球を下方に落下できるように構成されている。
【００３４】
下皿カバー部材８８は、取付ベース８６の前面から遊技者側へ突出（膨出）した形状を備えており、前面突出部を上皿カバー部材４１の前面突出部と略同じ位置まで突出させている。さらに、下皿カバー部材８８は、延出ベース９３と重なる箇所に延出部９０の前側部分となる延出カバー部材１０１を、前面が上皿カバー部材４１の開放端（図中右端）と連続するような曲面で形成された状態で備えている。このような構成により下皿カバー部材８８は、下皿ユニット１４と、閉じた状態の上皿ユニット１３とが一体化しているかのようなデザインを備えることができる。また、この下皿カバー部材８８は、下皿８７と灰皿８９との間に第２空間１０２を区画形成し、該第２空間１０２と下皿８７との間、および第２空間１０２と灰皿との間に上面部（すなわち下皿ユニット１４の上面部）１０３を、上皿カバー部材４１の下面部６８と略平行となる状態で備えている。この第２空間１０２は、上皿ユニット１３の閉成状態で上皿３９の下方に形成され、第１空間６６と上下に連通することができる空間である。このようにして、下皿ユニット１４は、スピーカーユニット１５の下部を収納可能な広さの第２空間１０２を下皿８７の側方であり、灰皿８９との間に形成している。
【００３５】
上記のような下皿ユニット１４を前面枠本体４の前面側下部に取り付けると、図８に示すように、発射装置１６の一部と延出部９０とが前後に重なる状態で配設される。そして、発射装置１６は、延出部９０の後側、すなわち延出部９０と当該発射装置１６との間に、発射杵２２の回動領域の一部、具体的には、後退した発射杵２２が位置し得る領域を設定した状態で配設される。したがって、このパチンコ遊技機１では、発射装置１６と、延出部９０、すなわち延出部９０の前面に取り付けられた発射操作ユニット９１とを、パチンコ遊技機１の正面から見て横方向や縦方向に隣り合わせるようにして配置する必要がない。このことから、限られたパチンコ遊技機１の内部空間を有効利用して、効率よく発射装置１６および発射操作ユニット９１を配置することができる。しかも、発射装置１６をパチンコ遊技機１の下側寄りに配置することができ、遊技盤５の設置スペースをより広く設けることができる。このようにして、デザイン自由度が高く、遊技の興趣を高められるパチンコ遊技機を提供することができる。
【００３６】
なお、スピーカーユニット１５は、図６に示すように、遊技中の効果音を出力するスピーカー１０４と、内部にスピーカー１０４を収納するスピーカー収納ボックス１０５と、該スピーカー収納ボックス１０５を閉成する蓋部材１０６とから構成されている。このスピーカーユニット１５は、下皿ユニット１４の第２空間１０２に下部を収納し、この状態で上皿ユニット１３を閉じて上部を第１空間６６に収納して取り付けることができる。
【００３７】
そして、発射操作ユニット９１は、図６および図１３に示すように、下皿ユニット１４の延出部９０に取り付ける支持部９１ａと、該支持部９１ａの前端に設けられて、遊技者が操作時に把持する把持部９１ｂと、支持部９１ａと把持部９１ｂとの間に回動可能に保持されて遊技球の発射勢を調整操作するための回動操作部９１ｃと、該回動操作部９１ｃから外側に突出した複数の指掛部９１ｄと、回動操作部９１ｃの後方に配設され、静電容量の変化を感知することで遊技者が把持部９１ｂに触れていることを検出するタッチセンサー部（タッチ検出手段）９１ｅとにより概略構成されている。そして、発射操作ユニット９１は、タッチセンサー９１ｅで遊技者が触れていることを検出し、且つ回動操作部９１ｃを回動することで、発射装置１６から遊技球を発射するように構成されている。
【００３８】
また、発射操作ユニット９１は、図１に示すように、上皿ユニット１３と下皿ユニット１４との境界、すなわち上皿ユニット１３の下面部６８あるいは下皿ユニット１４の上面部１０３の横に位置する状態で取り付けられている。さらに、発射操作ユニット９１は、指掛部９１ｄのうち、遊技者が親指を掛け易い親指用指掛部９１ｆを下皿８７側に突設し、該親指用指掛部９１ｆを上皿ユニット１３の開放側端部１３ａの下縁（すなわち下面部６８の一部）よりも下方に位置し、且つ先端が延出部９０よりも上皿３９寄りに位置する状態で配設している。なお、発射操作ユニット９１と開閉時における上皿ユニット１３との関係については、後で詳細に説明する。
【００３９】
さらに、パチンコ遊技機１は、上皿ユニット１３に貯留された遊技球を下皿ユニット１４へ案内する球抜き流路９６を備えている。この球抜き流路９６は、図９に示すように、上皿ユニット１３の球案内流路４０の途中に連通した上側球抜き流路１０８と、下皿ユニット１４の下皿球出口９２に連通した下側球抜き流路１０９とに上下分割された状態で形成されている。また、球抜き流路９６は、上皿ユニット１３を閉じた状態で上側球抜き流路１０８と下側球抜き流路１０９とが連通できるように構成されている。
【００４０】
そして、上皿ユニット１３は、上側球抜き流路１０８と球案内流路４０との連通箇所に開閉可能な舌片状の球抜きスライド部材１１２を備え、この球抜きスライド部材１１２をコイルばね等の付勢部材（図示せず）により付勢して常時閉状態とし、球抜きレバー１１２ａにより開状態へ操作することで遊技球を上皿３９から下皿８７へ流下できるように構成されている。
【００４１】
なお、下側球抜き流路１０９は、図１０に示すように、上側開口１０９ａを取付ベース８６の上縁と同じ上下位置（高さ）で上方に向けて開設し、且つ球送り装置３１の球流入口３３の真下に位置する状態で配置している。このように構成された下側球抜き流路１０９は、上皿ユニット１３が開き始めた位置で、遊技球が球送り装置３１の球供給口５３から落下した場合には、この遊技球を受け入れ易く、下皿８７へ流下させることができる。
【００４２】
また、下皿ユニット１４は、下側球抜き流路１０９の上側開口１０９ａの横に遊技球案内部１１６を、前方の下皿８７に向かって下り傾斜した状態で備えるとともに、上側開口１０９ａの前方に位置する取付ベース８６の上縁を前方に下り傾斜させている。したがって、下皿ユニット１４は、仮に球供給口５３から落下した遊技球が下側球抜き流路１０９の上側開口１０９ａに入らずにその横や前に落下しても、遊技球案内部１１６等により前方に転動させて下皿８７に回収することができる。
【００４３】
そして、前面枠本体４は、図１１および図１２に示すように、上皿ユニット１３の上皿球出口４９よりも上流側であって、接続樋５１の上流側が接続する箇所に遊技球通路５０に連通する開口部１１８を開設し、この開口部１１８が開設された裏側部分に通路ボックス１２０を備えている。この通路ボックス１２０は、第１通路部材１２０ａと第２通路部材１２０ｂと第３通路部材１２０ｃとを前後に重合して構成されている。第１通路部材１２０ａは、前面枠本体４の裏側に当接する部材であり、遊技球通路５０の出口側開口５０ａを開設して開口部１１８と連通している。また、第２通路部材１２０ｂは、遊技球通路５０を後上方に屈曲したクランク状に形成するとともに、上方の球排出装置（図示せず）と遊技球通路５０とを連通させる球排出流路１２１を形成している。そして、第３通路部材１２０ｃは、遊技球通路５０および球排出流路１２１の後方を閉塞する蓋として機能している。
【００４４】
さらに、第２通路部材１２０ｂは、遊技球通路５０の上流側に形成された棚部１２３に連通口１２４を開設し、この連通口１２４と下皿球出口９２とを連通する状態でオーバーフロー流路１２５を形成している。このような構成を備えて、上皿３９が満杯になった状態で遊技球が球排出装置から遊技球通路５０に排出されると、この遊技球は、遊技球通路５０に貯留される。そして、遊技球が遊技球通路５０の上流（すなわち棚部１２３）まで貯留されると、球排出装置から排出される遊技球は、連通口１２４に落下してオーバーフロー流路１２５を流下し、下皿８７に流出することができる。このようにオーバーフロー流路１２５と遊技球通路５０との分岐箇所を上皿球出口４９よりも上流側に設けることにより、上皿３９よりも上流側にも遊技球の貯留スペースを設けることができる。したがって、上皿３９のサイズを小さくしても発射装置１６に供給する遊技球を十分に貯留することができる。
【００４５】
なお、オーバーフロー流路１２５は、図３（ａ）に示すように、下皿球出口９２と連通する出口１２５ａを発射レール２７の下方に開設している。この出口１２５ａは、発射装置１６の下端よりも上方に、また、左端よりも右寄りに開設されている。このようにしてパチンコ遊技機１は、発射装置１６とオーバーフロー流路１２５の出口１２５ａとを効率よく配置して、限られた前面枠本体４の前面側スペースを有効利用することができる。
【００４６】
そして、上皿ユニット１３あるいは上皿３９の高さに拘らず、オーバーフロー流路１２５の上流側（すなわち遊技球通路５０との分岐箇所）と下流側（すなわち出口１２５ａ）との高低差を保つことができる。したがって、遊技領域１０を拡げるために上皿ユニット１３を低い位置に配設して下皿ユニット１４に近づけても、オーバーフローした遊技球をスムーズに流下させてオーバーフロー流路１２５で球詰まりが生じないようにすることができる。
【００４７】
上記のような上皿ユニット１３および下皿ユニット１４を備えたパチンコ遊技機１は、上皿ユニット１３を開閉することで状態を変換させることができる。すなわち、このパチンコ遊技機１は、上皿ユニット１３を前面枠３に対して開放すると、第１空間６６が第２空間１０２の上方から前方に外れた第１状態に変換することができる。この第１状態においては、第２空間１０２の上方が開放されてスピーカーユニット１５が上下方向に移動可能となる。また、透音カバー部材６７の下半部は、下皿ユニット１４から離脱して第２空間１０２の前方から外れた状態となる。
【００４８】
一方、上皿ユニット１３を前面枠３に対して閉成し、上皿ユニット１３の係止爪４６を下皿ユニット１４の係止片４７に係止すると、このパチンコ遊技機１は、第１空間６６が第２空間１０２の上方に連通された第２状態に変換することができる。この第２状態においては、第２空間１０２の上方が上皿ユニット１３に覆われて、スピーカーユニット１５が上下方向に移動するのを規制される。
【００４９】
このように、上皿ユニット１３の開閉という簡単な動作だけで、スピーカーユニット１５の取り外し準備や収納作業を行うことができる。したがって、メンテナンス作業の時間を短縮して、作業効率の向上を図ることができる。
【００５０】
また、この第２状態における上皿ユニット１３は、図１および図１３に示すように、開放側端部１３ａを延出部９０に連続するように位置させるとともに、当該上皿ユニット１３の下面部６８と下皿ユニット１４の上面部１０３とを近接させた状態で対向させている。そして、下皿ユニット１４は、上皿ユニット１３の開放側端部１３ａの側方に発射操作ユニット９１の取付箇所、すなわち延出部９０を設けて、上皿ユニット１３の下方および開放側端部１３ａの側方を囲むように配設されている。したがって、このパチンコ遊技機１は、上皿ユニット１３や下皿ユニット１４の高さ寸法を低く抑えても、発射操作ユニット９１を取り付ける領域を十分に確保することができる。このことから、パチンコ遊技機のデザインの自由度を拡げて、遊技の興趣を高めることができる。
【００５１】
しかも、上皿ユニット１３は、図１３中に二点鎖線で示すように、発射操作ユニット９１、具体的には発射操作ユニット９１の支持部９１ａ、把持部９１ｂおよび回動操作部９１ｃに接触しない状態で開閉できるように構成されている。すなわち、上皿ユニット１３は、軸着部４５から開放側端部１３ａまでの長さを、開放側端部１３ａが回動操作部９１ｃに対し上皿３９側（図１中左側）の斜め後ろ上方に位置する程度、詳しくは、開放側端部１３ａの延出部９０に隣り合う縁部分（すなわち上皿ユニット１３の開放側縁）から下方へ延長仮想線Ｌを延ばすと、正面から見てこの延長仮想線Ｌと親指用指掛部９１ｆとが交わるように見える程度に設定している。したがって、延出部９０に発射操作ユニット９１を設けても支障なく上皿ユニット１３の開閉を行うことができる。なお、親指用指掛部９１ｆは、上皿ユニット１３の下面部６８よりも下方に位置しているので、上皿ユニット１３の開閉の際に衝突する虞がなく、また、回動操作部９１ｃを回動しても衝突しない。したがって、発射操作ユニット９１をパチンコ遊技機１の中央、すなわち遊技者の正面に近づけるようにして配置することができ、腕を外に広げることなく発射操作ユニット９１を握れるようにして、遊技者が長時間遊技を行っても疲れ難くすることができる。
また、上皿ユニット１３は、前面枠本体４の横幅よりも短く構成されているので、開閉範囲を小さくすることができ、メンテナンス作業を行い易くすることができる。
【００５２】
そして、上皿ユニット１３は、上皿カバー部材４１の下面部６８を下皿８７の上側開口部８７ａと略同じ高さに配置している（図１および図９参照）。このような状態で上皿ユニット１３を下皿ユニット１４の上方に配設することで、パチンコ遊技機１は、前面枠３の下側に設置スペースを低く抑えた状態で上皿３９および下皿８７を設けることができる。
【００５３】
加えて、このパチンコ遊技機１は、下皿８７を上皿３９の右斜め上方に配置して、上側開口部８７ａの上方の空間を確保したので、上皿３９および下皿８７を前面枠３の下側の低い位置に配置しても、遊技球が下皿８７から取り出し難くなる、すなわち遊技者が下皿８７に手を差し入れ難くなるという虞がない。
【００５４】
さらに、上皿ユニット１３は、図１３に示すように、下皿８７の上側開口部８７ａのうち、上皿３９寄りの部分であって下皿球出口９２の上方に位置する部分を上皿カバー部材４１の下面部６８で上から覆い隠すように配置される。すなわち、第２状態において、下皿８７は、上側開口部８７ａの一部を上皿カバー部材４１の下面部６８で覆われるように配置される。したがって、上皿ユニット１３を閉じた状態で遊技球がオーバーフロー流路１２５から勢いよく転動しても、パチンコ遊技機１では、この遊技球が下皿８７から飛び出すことがない。すなわち、オーバーフロー流路１２５から流下してきた遊技球が、下皿球出口９２の周辺に貯留された遊技球と衝突して上方に跳ね上がっても、跳ね上がった遊技球は、上皿カバー部材４１の下面部６８に当たり易く、下皿８７から飛び出すのを抑えられる。このようにして、上皿ユニット１３は、遊技球が下皿８７から不意にこぼれてしまうのを防いで、遊技者が遊技の興趣を損なわないようにすることができる。
【００５５】
ところで、遊技者の中には、タッチセンサー部９１ｅに触れているだけで、指掛部９１ｄには回動操作部９１の回動位置を維持する力を加えなくても発射勢が変わらない状態で、遊技球を連続発射させようとして、発射操作ユニット９１の回動操作部９１ｃと把持部９１ｂとの間（あるいは回動操作部９１ｃとタッチセンサー部９１ｅとの間）に硬貨や楊枝等の異物を挟んで、回動操作部９１ｃを回動した状態で固定してしまう者がいる。そして、この遊技者が回動操作部９１ｃを元へ戻し忘れてしまうと、次の遊技者に不快感を与えたり、無駄に遊技球を発射してしまったりする虞がある。すなわち、回動操作部９１ｃが回動したままの状態とは知らずに、次の遊技者が発射操作ユニット９１を把持してタッチセンサー部９１ｅに触れると、次の遊技者が意図しないタイミングで発射装置１６から遊技球が発射されてしまう。そのため、回動操作部９１ｃの状態を容易に確認できる手段を備えることが望ましい。
【００５６】
そこで、発射操作ユニット９１は、例えばメンテナンス作業時において、横に位置する上皿ユニット１３の開閉によって回動操作部９１ｃの状態を把握できるようにしてもよい。例えば、図１４の第２実施形態における発射操作ユニット９１′は、基本的には前記した第１実施形態の発射操作ユニット９１と略同じ構成を備えるが、回動操作部の構造が異なる。発射操作ユニット９１′の回動操作部９１ｃ′は、図１４（ａ）に示すように、下皿８７側に板状の開放阻止部１３０を、回動操作されていない常態において下皿ユニット１４の前方に配置する状態で備えている。この開放阻止部１３０は、回動操作部９１ｃ′が回動操作されていない常態では、上皿ユニット１３の下面部６８よりも下方に配置されている。なお、開放阻止部１３０は、上皿ユニット１３寄り、すなわち上寄りに親指が十分に掛けられる（差し込める）程度の貫通穴を開設して親指用指掛部９１ｆ′を形成している。このような親指用指掛部９１ｆ′を備えることで、この発射操作ユニット９１′は、遊技者が右手の親指を不自然に下方へ伸ばすことなく、楽な握り方で回動操作部９１ｃ′を操作できるように構成されている。なお、発射操作ユニット９１′の支持部（図示せず）、把持部９１ｂ′、指掛部９１ｄ′、タッチセンサー部（図示せず）については、前記した第１実施形態のものと同じであるので、説明を省略する。
【００５７】
このような開放阻止部１３０を備えて回動操作部９１ｃ′を時計回りに回動操作すると、図１４（ｂ）に示すように、開放阻止部１３０は、上方に移動して上皿ユニット１３の一部、具体的には開放側端部１３ａの前方に位置する。したがって、回動操作部９１ｃ′を時計回りに回動させたままで上皿ユニット１３を開こうとすると、開放阻止部１３０が開放側端部１３ａに当接して、上皿ユニット１３が開くことを阻止することができる。また、回動操作部９１ｃ′を回動操作していない常態では、開放阻止部１３０が上皿ユニット１３の前方から外れた場所に位置するので、開放阻止部１３０は、上皿ユニット１３が開くことを許容する。
【００５８】
このことから、遊技店の閉店後に発射レール２７を清掃する等、定期的に透明部材保持枠１１および上皿ユニット１３を開く作業の際に、併せて上皿ユニット１３が開放阻止部１３０に当接するか否かを確認して回動操作部９１ｃ′の状態を把握することができる。したがって、メンテナンス作業の負担を軽減して効率の良い作業を行うことができる。
【００５９】
上記した実施形態は、代表的な遊技機であるパチンコ遊技機を例にして説明したが、本発明はこれに限らず、遊技球を貯留可能な上皿ユニットおよび下皿ユニットを備えた遊技機であればどのような遊技機でもよい。例えば、内部に封入した遊技球を循環させる封入球式パチンコ機、アレンジボール式遊技機、雀球式遊技機等の遊技機であってもよい。
【００６０】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【００６１】
【発明の効果】
以上説明したように、本発明によれば、次の効果を奏する。
すなわち、前記上皿ユニットは、一側を前面枠の軸着側縁部に軸着して開閉可能とし、開放側端部となる他側には、当該上皿ユニットを閉状態に維持する係止部を設け、前記下皿ユニットは、前記前面枠の開放側に位置する部分に、上縁が透明部材保持枠の下縁まで延出された延出部を設け、該延出部に前記発射操作ユニットを取り付け、前記延出部のうち上皿ユニットの開放側端部と対向する箇所に前記係止部が係止可能な係止受部を備え、前記上皿ユニットを閉じて係止部を係止受部に係止した状態では、延出部に上皿ユニットの開放側端部を連続するように位置させるとともに、当該上皿ユニットの下面部と下皿ユニットの上面部とを近接した状態で対向させて、下皿ユニットが上皿ユニットの下方および開放側端部の側方を囲むように配設し、前記発射操作ユニットに接触しない状態で開閉するように前記上皿ユニットの軸着部から開放側端部までの長さを設定したので、上皿ユニットや下皿ユニットの高さ寸法を低く抑えても、上皿ユニットの開閉機能を損なうことなく、発射操作ユニットを取り付ける領域を十分に確保することができる。したがって、遊技機のデザインの自由度を拡げることができ、遊技の興趣を高めた遊技機を提供することができる。
【図面の簡単な説明】
【図１】パチンコ遊技機の正面図である。
【図２】前面枠の分解斜視図である。
【図３】（ａ）は前面枠本体に取り付けた発射装置の正面図、（ｂ）は球送り装置の拡大正面図である。
【図４】上皿ユニットの分解斜視図である。
【図５】上皿ユニットの背面斜視図である。
【図６】下皿ユニットおよびスピーカーユニットの分解斜視図である。
【図７】下皿ユニットの背面斜視図である。
【図８】前面枠本体に発射装置と下皿ユニットを取り付けた状態の説明図である。
【図９】球案内流路と球抜き流路との断面図である。
【図１０】球流入口と下側球抜き流路の上側開口との位置関係の説明図である。
【図１１】上皿ユニット、接続樋および遊技球通路の断面図である。
【図１２】通路ボックスの分解斜視図である。
【図１３】透明部材保持枠を取り外した状態のパチンコ遊技機の平面図である。
【図１４】第２実施形態における発射操作ユニットの説明図であり、（ａ）は回動操作部が常態である場合の説明図、（ｂ）は回動操作部が回動操作された状態の説明図である。
【符号の説明】
１  パチンコ遊技機
２  機枠
３  前面枠
３ａ  軸着側縁部
４  前面枠本体
５  遊技盤
６  表示装置
７  大入賞口
８  一般入賞口
９  アウト口
１０  遊技領域
１１  透明部材保持枠
１２  透明部材
１３  上皿ユニット
１３ａ  開放側端部
１４  下皿ユニット
１５  スピーカーユニット
１６  発射装置
１７  ファール流下口
２１  取付基板
２２  発射杵
２３  回動軸
２５  杵先
２７  発射レール
２８  遊技球発射位置
２９  案内誘導路
３１  球送り装置
３３  球流入口
３４  球排出口
３５  球送り部材
３７  上皿ユニット軸着部
３８  開閉パネル
３８ａ  フロントパネル
３８ｂ  リアパネル
３９  上皿
４０  球案内流路
４１  上皿カバー部材
４２  球止めユニット
４５  軸着部
４６  係止爪
４７  係止片
４７ａ  係止爪操作部
４９  上皿球出口
５０  遊技球通路
５０ａ  出口側開口
５１  接続樋
５２  貫通開口
５３  球供給口
５５  パネル切欠部
５６  不正防止壁
５８  上皿本体
５９  底面
６６  第１空間
６７  透音カバー部材
６８  下面部
７０  球止めベース
７１  球止め部材
７２  付勢部材
７５  球止め部材操作部
７６  係合部
８６  取付ベース
８７  下皿
８７ａ  上側開口部
８８  下皿カバー部材
８９  灰皿
９０  延出部
９１，９１′  発射操作ユニット
９１ａ  支持部
９１ｂ，９１ｂ′  把持部
９１ｃ，９１ｃ′  回動操作部
９１ｄ  指掛部
９１ｅ  タッチセンサー部
９１ｆ，９１ｆ′親指用指掛部
９２  下皿球出口
９３  延出ベース
９４  不正防止壁
９６  球抜き流路
９７  下皿本体
９８  取出口
９８ａ  取出しレバー
１００  開閉プレート
１０１  延出カバー部材
１０２  第２空間
１０３  上面部
１０４  スピーカー
１０５  スピーカー収納ボックス
１０６  蓋部材
１０８  上側球抜き流路
１０９  下側球抜き流路
１０９ａ  上側開口
１１２  球抜きスライド部材
１１２ａ  球抜きレバー
１１８  開口部
１２０  通路ボックス
１２０ａ  第１通路部材
１２０ｂ  第２通路部材
１２０ｃ  第３通路部材
１２１  球排出流路
１２３  棚部
１２４  連通口
１２５  オーバーフロー流路
１２５ａ  出口
１３０  開放阻止部
【図１】
2004329283.tif 000003
【図２】
2004329283.tif 000004
【図３】
2004329283.tif 000005
【図４】
2004329283.tif 000006
【図５】
2004329283.tif 000007
【図６】
2004329283.tif 000008
【図７】
2004329283.tif 000009
【図８】
2004329283.tif 000010
【図９】
2004329283.tif 000011
【図１０】
2004329283.tif 000012
【図１１】
2004329283.tif 000013
【図１２】
2004329283.tif 000014
【図１３】
2004329283.tif 000015
【図１４】
2004329283.tif 000016